(57)【特許請求の範囲】
【請求項１】
前向き開放された箱体の前面開口部を、箱体の外側に配置された外側板と、箱体内における物品収容空間の左右に配置された内側板との間の左右の扉収容空間にそれぞれ収容可能とされた左右方向に摺動可能なシャッタ扉をもって開閉しうるようにしたキャビネットにおいて、
シャッター扉における箱体の前面開口部近傍に配設した戸当りスラットの裏面に、ストッパ部材を突出させて設け、このストッパ部材を、通常は、前記内側板の先端部に当接する戸当りとして機能させるとともに、当接位置から非当接位置に向けて移動させた際に、前記戸当りスラットの少なくとも一部を、前記扉収容空間内に収容可能にしたことを特徴とするキャビネット。
【請求項２】
ストッパ部材を、前方に押込み操作することによって、内側板の先端部に当接する位置から非当接位置に向けて移動させた請求項１記載のキャビネット。
【請求項３】
ストッパ部材の両端に、円弧状に湾曲させた弾性片を斜め後方に向かって延出させ、この弾性片の端部を、前記戸当りスラットの内面に摺動可能に当接させるとともに、前記弾性片の弾性変形により、付勢力が付与されるようにした請求項１または２記載のキャビネット。
【請求項４】
ストッパ部材の両弾性片間に、戸当りスラットの内面に離間して対応する規制部材を設け、前記弾性片の付勢力に抗するストッパ部材の押込み操作による規制部材の前記戸当りスラットの内面への当接により、弾性片端部の摺動幅を規制した請求項３記載のキャビネット。
【請求項５】
戸当りスラットの内側面に対応するストッパ部材の側部に、突起を設け、この突起を、前記戸当りスラットの内面に形成したガイド孔にスライド可能に係合させた請求項１〜４のいずれかに記載のキャビネット。
【請求項６】
シャッタ扉における戸当りスラットの裏面に、回動自在に軸支されたストッパ部材を突出させて設け、このストッパ部材を、通常は、前記内側板の先端部に当接する戸当りとして機能させるとともに、当接位置から非当接位置に向けて回動させた際に、前記戸当りスラットの少なくとも一部を、前記扉収容空間内に収容可能にした請求項１記載のキャビネット。
【請求項７】
前向き開放された箱体の前面開口部を、箱体の外側に配置された外側板と、箱体内における物品収容空間の左右に配置された内側板との間の扉収容空間に収容された左右方向に摺動可能なシャッタ扉をもって開閉しうるようにしたキャビネットにおいて、
前記内側板の前端部に、前方に向かって付勢されたストッパ部材を突出させて設け、該ストッパ部材の突出により、通常は、シャッタ扉における戸当りスラットの端部に当接する戸当りとして機能させるとともに、前記ストッパ部材の付勢力に抗する後方への押込み操作で、前記戸当りスラットの少なくとも一部を、前記扉収容空間内に収容可能にしたことを特徴とするキャビネット。
【請求項８】
前向き開放された箱体の前面開口部を、箱体の外側に配置された外側板と、箱体内における物品収容空間の左右に配置された内側板との間の扉収容空間に収容された左右方向に摺動可能なシャッタ扉をもって開閉しうるようにしたキャビネットにおいて、
シャッタ扉における箱体の前面開口部近傍に配設した戸当りスラットの裏面に、上下方向のいずれか一方に付勢されたスライド自在なストッパ部材を突出させて設け、このストッパ部材を、通常は、前記内側板の先端部に当接する戸当りとして機能させるとともに、当接位置から付勢力に抗して上下方向のいずれかの位置にスライドさせた際に、前記内側板の先端部に形成した切欠部に整合しうるようにして非当接位置とし、前記戸当りスラットの少なくとも一部を、前記扉収容空間内に収容可能にしたことを特徴とするキャビネット。
【請求項９】
シャッタ扉は、左右１対のシャッタ扉からなる請求項１〜８のいずれかに記載のキャビネット。
【発明の詳細な説明】
【技術分野】
【０００１】
本発明は、オフィス等の執務空間で、物品を収容するために使用されるキャビネットに係り、特に、箱体の開口部をシャッタ扉をもって開閉しうるようにしたキャビネットに関する。
【背景技術】
【０００２】
従来のシャッタ扉付きキャビネットにおいては、前向き開放された箱体の開口部を、左右方向に摺動可能な左右１対のシャッタ扉をもって開閉しうるようにしたものが知られている（特許文献１、２および３参照）。
【０００３】
【特許文献１】特開２００１−１６４８２０号公報（図５）
【特許文献２】実用新案登録第２５１２０４７号公報（図４）
【特許文献３】実用新案登録第２５７５７５０号公報（図１、２）
【発明の開示】
【発明が解決しようとする課題】
【０００４】
しかし、上記したようなキャビネットにおけるシャッタ扉による開閉構造では、戸当りスラットが扉収容空間に収容されてしまうと、把手部も収容されることとなり、操作性を損なってしまうため、把手部を形成する戸当りスラットが、シャッタ扉の全開状態においても、箱体内の扉収容空間に収容されないように構成されており、戸当りスラット幅に相当する分、開口部における間口幅が狭くなるという問題があった。
【０００５】
本発明は、上記従来の問題点に鑑み、シャッタ扉をもって開閉しうる箱体の開口部における全開扉時の間口を、開口幅より幅広の物品を収容したい場合にのみ、最大限に拡張させることができるようにしたキャビネットを提供することを目的としている。
【課題を解決するための手段】
【０００６】
本発明によると、上記課題は、次のようにして解決される。
（１）  前向き開放された箱体の前面開口部を、箱体の外側に配置された外側板と、箱体内における物品収容空間の左右に配置された内側板との間の左右の扉収容空間にそれぞれ収容可能とされた左右方向に摺動可能なシャッタ扉をもって開閉しうるようにしたキャビネットにおいて、シャッタ扉における箱体の前面開口部近傍に配設した戸当りスラットの裏面に、ストッパ部材を突出させて設け、このストッパ部材を、通常は、前記内側板の先端部に当接する戸当りとして機能させるとともに、当接位置から非当接位置に向けて移動させた際に、前記戸当りスラットの少なくとも一部を、前記扉収容空間内に収容可能にする。
【０００７】
（２）  上記（１）項において、ストッパ部材を、前方に押込み操作することによって、内側板の先端部に当接する位置から非当接位置に向けて移動させる。
【０００８】
（３）  上記（１）または（２）項において、ストッパ部材の両端に、円弧状に湾曲させた弾性片を斜め後方に向かって延出させ、この弾性片の端部を、前記戸当りスラットの内面に摺動可能に当接させるとともに、前記弾性片の弾性変形により、付勢力が付与されるようにする。
【０００９】
（４）  上記（３）項において、ストッパ部材の両弾性片間に、戸当りスラットの内面に離間して対応する規制部材を設け、前記弾性片の付勢力に抗するストッパ部材の押込み操作による規制部材の前記戸当りスラットへの内面に当接により、弾性片端部の摺動幅を規制する。
【００１０】
（５）  上記（１）〜（４）項のいずれかにおいて、戸当りスラットの内側面に対応するストッパ部材の側部に、突起を設け、この突起を、前記戸当りスラットの内面に形成したガイド孔にスライド可能に係合させる。
【００１１】
（６）  上記（１）項において、シャッタ扉における戸当りスラットの裏面に、回動自在に軸支されたストッパ部材を突出させて設け、このストッパ部材を、通常は、前記内側板の先端部に当接する戸当りとして機能させるとともに、当接位置から非当接位置に向けて回動させた際に、前記戸当りスラットの少なくとも一部を、前記扉収容空間内に収容可能にする。
【００１２】
（７）  前向き開放された箱体の前面開口部を、箱体の外側に配置された外側板と、箱体内における物品収容空間の左右に配置された内側板との間の扉収容空間に収容された左右方向に摺動可能なシャッタ扉をもって開閉しうるようにしたキャビネットにおいて、前記内側板の前端部に、前方に向かって付勢されたストッパ部材を突出させて設け、該ストッパ部材の突出により、通常は、シャッタ扉における戸当りスラットの端部に当接する戸当りとして機能させるとともに、前記ストッパ部材の付勢力に抗する後方への押込み操作により、前記戸当りスラットの少なくとも一部を、前記扉収容空間内に収容可能にする。
【００１３】
（８）  前向き開放された箱体の前面開口部を、箱体の外側に配置された外側板と、箱体内における物品収容空間の左右に配置された内側板との間の扉収容空間に収容された左右方向に摺動可能なシャッタ扉をもって開閉しうるようにしたキャビネットにおいて、シャッタ扉における箱体の前面開口部近傍に配設した戸当りスラットの裏面に、上下方向のいずれか一方に付勢されたスライド自在なストッパ部材を突出させて設け、このストッパ部材を、通常は、前記内側板の先端部に当接する戸当りとして機能させるとともに、当接位置から付勢力に抗して上下方向のいずれかの位置にスライドさせた際に、前記内側板の先端部に形成した切欠部に整合しうるようにして非当接位置とし、前記戸当りスラットの少なくとも一部を、前記扉収容空間内に収容可能にする。
【００１４】
（９）上記（１）〜（８）項のいずれかにおいて、シャッタ扉は、左右１対のシャッタ扉からなる。
【発明の効果】
【００１５】
本発明によると、次のような効果を奏することができる。
請求項１記載の発明によると、ストッパ部材を、通常は、内側板の先端部に当接する戸当りとして機能させるとともに、当接位置から非当接位置に向けて移動させた際に、戸当りスラットの少なくとも一部を、扉収容空間内に収容可能にしているため、必要に応じて、箱体における開口部の間口を最大限に拡張させることができる。
【００１６】
請求項２記載の発明によると、ストッパ部材を、前方に押込み操作することによって、内側板の先端部に当接する位置から非当接位置に向けて移動させているため、ストッパ部材を容易に操作することができる。
【００１７】
請求項３記載の発明によると、戸当りスラットの内面に、ストッパ部材の両端に円弧状に湾曲させて延出させた弾性片の端部を摺動可能に当接させてあるため、弾性片の付勢力によるストッパ部材の突出、及び付勢力に抗する押込み操作を円滑に行える。
【００１８】
請求項４記載の発明によると、ストッパ部材の両弾性片間に設けた規制部材で、ストッパ部材の付勢力に抗する押込み操作による弾性片端部の摺動幅を規制しているため、ストッパ部材の過剰な押込み操作を防止することができる。
【００１９】
請求項５記載の発明によると、ストッパ部材の側部に設けた突起を、戸当りスラットの内側面に形成したガイド孔にスライド可能に係合させているので、ストッパ部材の押込み／突出動作を円滑に行うことができる。
【００２０】
請求項６記載の発明によると、ストッパ部材を、通常は、内側板の先端部に当接する戸当りとして機能させるとともに、当接位置から非当接位置に向けて回動させた際に、戸当りスラットの少なくとも一部を、扉収容空間内に収容可能にしているため、必要に応じて、箱体における開口部の間口を最大限に拡張させることができる。
【００２１】
請求項７記載の発明によると、通常は、シャッタ扉における戸当りスラットの端部に当接する戸当りとして機能するストッパ部材の押込み操作により、戸当りスラットの少なくとも一部を扉収容空間内に収容可能にしているため、必要に応じて、箱体における開口部の間口を最大限に拡張させることができる。
【００２２】
請求項８記載の発明によると、ストッパ部材を、上下方向のいずれか一方に付勢してスライド自在に突出させ、通常は、内側板の先端部に当接する戸当りとして機能させるとともに、当接位置から付勢力に抗して上下方向のいずれかの位置にスライドさせた際に、内側板の先端部に形成した切欠部に整合しうるようにして非当接位置とし、戸当りスラットの少なくとも一部を、扉収容空間内に収容可能にしているため、必要に応じて、箱体における開口部の間口を最大限に拡張させることができる。
【００２３】
請求項９記載の発明によると、左右１対のシャッタ扉により、箱体の開口部の開閉を簡単かつ容易に行えるとともに、各シャッタ扉の摺動範囲が短くなるため、使い勝手もよく、しかも、物品の収容／取出しの際、必要とするシャッタ扉側のみを操作するだけでよい。
【発明を実施するための最良の形態】
【００２４】
以下、本発明の実施形態を、図面に基づいて詳細に説明する。図１は、本発明に係るキャビネットの第１実施形態におけるストッパ機構を備えたシャッタ扉の閉扉状態を示す正面図、図２は、同じく、シャッタ扉の開扉状態を示す正面図、図３は、図２のIII−III矢印方向における一部破断して示す拡大横断面図、図４は、シャッタ扉の戸当りスラットへのストッパ部材の取付け状態を示す裏面側から見た要部拡大斜視図、図５は、シャッタ扉の戸当りスラットへのストッパ部材の取付け状態を分解して示す裏面側から見た要部拡大分解斜視図、図６は、ストッパ部材の裏面側から見た拡大斜視図、図７は、ストッパ部材の前面側から見た拡大斜視図、図８は、ストッパ部材の押込みによるシャッタ扉の最大限の開扉状態を一部破断して示す拡大横断面図である。
【００２５】
本発明のキャビネットは、図１、図２及び図３に示すように、箱体１を備え、この箱体１内における物品収容空間２の前面には、開口部３が形成されている。箱体１の左右両側面は、外側に配置された外側板４、４と 、前記物品収容空間２の左右に配置された内側板５、５により形成されており、これら外側板４、４と内側板５、５との間には、ガイドレールとなる扉収容空間６、６が形成されている。
【００２６】
前記各扉収容空間６、６には、図３に示すように、左右１対のシャッタ扉７、７がそれぞれ収容されており、これらシャッタ扉７、７は、箱体１の前面開口部３に向け、左右方向に引出し自在に摺動可能になっているとともに、箱体１の前面開口部３を、閉扉（図１参照）あるいは開扉（図２参照）しうるようになっている。
【００２７】
前記シャッタ扉７は、複数本のスラット８をフレキシブルに連結して形成され、その前端は、把手部９が設けられた戸当りスラット１０により形成されている。この戸当りスラット１０は、図４及び図５に示すように、前面パネル枠１１、中間パネル枠１２及び裏面パネル枠１３からなる中空構造を有する。
前記前面パネル枠１１は、左右の両端縁１１ａ、１１ａを後方に折曲させ、その裏面１１ｂに、平面視コ字型をなす中間パネル枠１２の前面板１２ａを重合させて接合し、中間パネル枠１２の平面視コ字型の最後面１２ｂを、裏面パネル枠１３の平面視コ字型をなす嵌入部１４に嵌合させて接合するとともに、裏面パネル枠１３の嵌入部１４の左右一端から前方に向けＬ字型に延出させて形成した凹部１５の前端１５ａと、中間パネル枠１２の側端１２ｃを接合することにより組み付けられている。
【００２８】
前記戸当りスラット１０を形成する裏面パネル枠１３における凹部１５の底面１５ｂには、縦長矩形状の貫通孔１６が上下方向に向けて形成され、その側面１５ｃには、ガイド孔１７が前後方向に向けて形成されており、これらの貫通孔１６及びガイド孔１７には、合成樹脂等からなるストッパ部材１８が組み付けられるようになっている。
【００２９】
前記ストッパ部材１８は、図６及び図７に示すように、縦長直方体状の基部１９と、この基部１９における前記凹部１５の側面１５ｃに対面する側面１９ａから後方に向けて延びる操作板２０と、前記基部１９の前面１９ｂにおける上下端に、前方に向け円弧状に湾曲させて上下方向に延出させた１対の弾性片２１、２１と、これら両弾性片２１、２１間の中央部に位置する前記基部１９の前面１９ｂに前方に向け突出させた規制杆２２と、前記基部１９の側面１９ａに突出させた突起２３とから、シャッタ扉７における戸当りスラット１０のストッパ機構を構成している。
【００３０】
すなわち、前記ストッパ部材１８は、図５に示すように、各戸当りスラット１０を形成する裏面パネル枠１３の前面１３ａ側から後面１３ｂ側に向けて、貫通孔１６を通して凹部１５の底面１５ｂに臨ませ、基部１９と操作板２０が、戸当りスラット１０における裏面側の後方に向けて突出するようになっている。
また、両弾性片２１、２１の両端部２１ａ、２１ａは、戸当りスラット１０の内面に相当する中間パネル枠１２に摺動可能に当接させて、その弾性変形により、前方から後方に向け付勢力が付与されるようになっているとともに、基部１９の側面１９ａに突出させた突起２３（図７参照）を、凹部１５の側面１５ｃに形成したガイド孔１７に係合させて組み付けられている。
このとき、基部１９の前面１９ｂに突出させた規制杆２２は、戸当りスラット１０における中間パネル枠１２の前面板１２ａから離間している。
【００３１】
なお、符号２４は、戸当りスラット１０における戸当り面１０ａの上下方向に装着したゴム等の中空弾性体からなる緩衝部材、符号２５（図１参照）は、一方の戸当りスラット１０に設けた施錠装置としての鍵穴である。
【００３２】
次に、本発明のキャビネットにおけるシャッタ扉７、７の開閉動作を説明する。まず、図２に示す開扉状態の箱体１の前面開口部３を閉扉するには、図３に示すように、物品収容空間２における左右の扉収容空間６、６にそれぞれ収容されたシャッタ扉７、７を、各戸当りスラット１０に設けた把手部９（図２参照）に手を掛けて、左右方向に引出し摺動させ、図１に示すように、箱体１の前面開口部３を閉扉するとともに、鍵穴２５にキー(図示せず)を差し込んで施錠する。
【００３３】
図１に示す閉扉状態から、箱体１の前面開口部３を開扉するには、鍵穴２５にキー（図示せず）を差し込んで解錠し、各戸当りスラット１０に設けた把手部９に手を掛けて、各々のシャッタ扉７、７を、それぞれ左右方向に摺動させて、図２及び図３に示すように、左右の扉収容空間６、６に収容する。
このとき、各シャッタ扉７は、ストッパ部材１８の基部１９が戸当りスラット１０の裏面に突出状態にあるため、基部１９は、扉収容空間６を形成する内側板５の前側先端部５ａに当接し、これにより、戸当りスラット１０は、扉収容空間６内に収容されることはなく、通常は、全体が外部に露出された状態にある。
【００３４】
この開扉状態において、戸当りスラット１０を、必要に応じて扉収容空間６内に収容し、箱体１における前面開口部３の間口幅を拡幅するには、図８に示すように、戸当りスラット１０の裏面側に突出するストッパ部材１８の操作板２０を、図４に矢印で示すように、弾性片２１、２１の弾性変形による付勢力に抗して、後方から前方に向け押し込み、この操作板２０の押込み操作により、ストッパ部材１８の基部１９を戸当りスラット１０内に押し入れることによって、ストッパ部材１８を当接位置から非当接位置に向けて移動しうるようになっている。
これにより、扉収容空間６を形成する内側板５の前端先端部５ａが、ストッパ部材１８における操作板２０の基部２０ａ（図６参照）に当接する状態になるまで、シャッタ扉７を開き、戸当りスラット１０の少なくとも一部を、扉収容空間６内に収容可能にし、箱体１における前面開口部３の間口幅を、最大限に拡張させることができる。
このとき、ストッパ部材１８における基部１９の前面１９ｂに突出させた規制杆２２（図７参照）は、戸当りスラット１０における中間パネル枠１２の前面板１２ａ側に当接し、弾性片２１、２１における両端部２１ａ、２１ａの上下方向の摺動幅が規制されるようになっているため、ストッパ部材１８の基部１９の過剰な押込み動作が防止される。
【００３５】
なお、前記第１実施形態におけるストッパ機構では、ストッパ部材１８を、戸当りスラット１０側に設けたが、扉収容空間６を形成する内側板５の前側先端部５ａ側に設けてもよい。この場合には、ストッパ部材１８は、弾性片２１、２１により、前方に向かって付勢されるようにして、基部１９を、扉収容空間６の前端を閉塞するように突出させ、このストッパ部材１８の基部１９の突出により、通常は、シャッタ扉７における戸当りスラット１０の端部に当接する戸当りとして機能させるとともに、弾性片２１、２１の付勢力に抗するストッパ部材１８の後方への押込み操作により、戸当りスラット１０の少なくとも一部を、扉収容空間６内に収容可能になるように構成すればよい。
【００３６】
図９は、本発明に係る第２実施形態のストッパ機構における戸当りスラットへのストッパ部材の取付け状態を示すために、裏面側から見た要部拡大斜視図、図１０は、ストッパ部材の戸当りスラット内への収容状態を示す要部拡大斜視図である。
【００３７】
第２実施形態のストッパ機構においては、図９に示すように、戸当りスラット２６における裏面パネル枠２７の貫通孔２８に、側面視半円形状の基部２９からなるストッパ部材３０が、軸３１をもって上下方向に回動自在に軸支されている。ストッパ部材３０の基部２９は、貫通孔２８から後方に向けて突出させることにより、通常は、戸当りとして機能させるとともに、基部２９の下端から裏面パネル枠２７に沿って下方に延びる操作板３２の操作によって、図９に矢印で示すように、ストッパ部材３０を、軸３１廻りに上方に回動させて、当接位置から非当接位置に向けて回動させることにより、図１０に示すように、基部２９を、戸当りスラット２６内に収容可能になっている。
【００３８】
図１１は、本発明に係る第３実施形態のストッパ機構における戸当りスラットへのストッパ部材の取付け状態を示すために、裏面側から見た要部拡大斜視図、図１２は、ストッパ部材の戸当りスラット内への収容状態を示す要部拡大斜視図である。
【００３９】
第３実施形態のストッパ機構は、図１１に示すように、戸当りスラット３３を形成する裏面パネル枠３４に貫設した上下に延びる矩形の貫通孔３５に、ストッパ部材３６が上下方向にスライド自在に設けられている。
【００４０】
ストッパ部材３６は、後面３７ａが指掛け部として上下方向に側面視半円弧状に凹設された縦長直方体状の基部３７と、この基部３７の側面部に形成され、かつ裏面パネル枠３４の側面３４ａに係合しうる係合溝３８と、基部３７の下端に下方に向けて延出させた弾性片３９とによって形成されている。
この弾性片３９の下端縁３９ａは、前記裏面パネル枠３４に貫設した貫通孔３５の下端縁３５ａに係止されており、基部３７を、貫通孔３５の上部位置から後方に向けて突出しうるように臨ませることにより、ストッパ部材３６が、弾性片３９の付勢力により、上方に向けて付勢されるように組み付けられている。
これにより、ストッパ部材３６の基部３７が、図１１に想像線で示すように、前記した扉収容空間を形成する内側板４０の前端先端部４０ａに当接しうるようになっている。
【００４１】
内側板４０の前端先端部４０ａには、図１１に矢印に示すように、ストッパ部材３６を弾性片３９の付勢力に抗して、下方に向けてスライドさせた際に、その下降位置における基部３７と整合しうる切欠部４１が設けられており、この切欠部４１と基部３７との整合位置を、ストッパ部材３６への非当接位置としている。
これにより、ストッパ部材３６の基部３７は、当接位置から非当接位置に向けてスライドさせることにより、図１２に示すように、開扉時に、切欠部４１に挿入されて、戸当りスラット３３の少なくとも一部を、前記した扉収容空間内に収容可能になっている。
【図面の簡単な説明】
【００４２】
【図１】本発明に係るキャビネットの第１実施形態におけるストッパ機構を備えたシャッタ扉の閉扉状態を示す正面図である。
【図２】同じくシャッタ扉の開扉状態を示す正面図である。
【図３】図２のIII−III線矢印方向における一部破断して示す拡大横断面図である。
【図４】シャッタ扉の戸当りスラットへのストッパ部材の取付け状態を示す裏面側から見た要部拡大斜視図である。
【図５】シャッタ扉の戸当りスラットへのストッパ部材の取付け状態を分解して示す裏面側から見た要部拡大分解斜視図である。
【図６】ストッパ部材の裏面側から見た拡大斜視図である。
【図７】ストッパ部材の前面側から見た拡大斜視図である。
【図８】ストッパ部材の押込みによるシャッタ扉の最大限の開扉状態を一部破断して示す拡大横断面図である。
【図９】本発明に係る第２実施形態のストッパ機構における戸当りスラットへのストッパ部材の取付け状態を示すために、裏面側から見た要部拡大斜視図である。
【図１０】ストッパ部材の戸当りスラット内への収容状態を示す要部拡大斜視図である。
【図１１】本発明に係る第３実施形態のストッパ機構における戸当りスラットへのストッパ部材の取付け状態を示すために、裏面側から見た要部拡大斜視図である。
【図１２】ストッパ部材の戸当りスラット内への収容状態を示す要部拡大斜視図である。
【符号の説明】
【００４３】
１    箱体
２    物品収容空間
３    開口部
４    外側板
５    内側板
５ａ  前端先端部
６    扉収容空間
７    シャッタ扉
８    スラット
９    把手部
１０  戸当りスラット
１０ａ  戸当り面
１１  前面パネル枠
１１ａ  端縁
１１ｂ  裏面
１２  中間パネル枠
１２ａ  前面板
１２ｂ  最後面
１２ｃ  側端
１３  裏面パネル枠
１３ａ  前面
１３ｂ  後面
１４  嵌入部
１５  凹部
１５ａ  前縁
１５ｂ  底面
１５ｃ  側面
１６  貫通孔
１７  ガイド孔
１８  ストッパ部材
１９  基部
１９ａ  側面
１９ｂ  前面
２０  操作板
２０ａ  基部
２１  弾性片
２１ａ  端部
２２  規制杆
２３  突起
２４  緩衝部材
２５  鍵穴
２６  戸当りスラット
２７  裏面パネル枠
２８  貫通孔
２９  基部
３０  ストッパ部材
３１  軸
３２  操作板
３３  戸当りスラット
３４  裏面パネル枠
３４ａ  側面
３５  貫通孔
３５ａ  下端縁
３６  ストッパ部材
３７  基部
３７ａ  後面
３８  係合溝
３９  弾性片
３９ａ  下端縁
４０  内側板
４０ａ  前端先端部
４１  切欠部
【図１】
0005132942.tif 000002
【図２】
0005132942.tif 000003
【図３】
0005132942.tif 000004
【図４】
0005132942.tif 000005
【図５】
0005132942.tif 000006
【図６】
0005132942.tif 000007
【図７】
0005132942.tif 000008
【図８】
0005132942.tif 000009
【図９】
0005132942.tif 000010
【図１０】
0005132942.tif 000011
【図１１】
0005132942.tif 000012
【図１２】
0005132942.tif 000013